(57)【要約】【課題】  簡易な構成でペーパーの端部を特定形状に整形するのに適したペーパー整形器具を提供しようとする。【解決手段】  従来のペーパー整形器具に変わって、第一輪郭に囲まれた第一平面を形成し前記第一輪郭の一部である第一部分輪郭の形状が特定形状に略一致する第一部材を有する第一部品と、第二輪郭に囲まれた第二平面を形成し前記第二輪郭の一部分である第二部分輪郭を仮に前記第二平面と前記第一平面とを対面する姿勢として上から見て前記第一部分輪郭と前記第二部分輪郭とを接近させて前記第二部分輪郭に重ね合わせることをできる第二部材を有する第二部品と、前記第一平面と前記第二平面とを互いに対面する向きに沿って向け上から見て前記第一部分輪郭と前記第二部分輪郭との間に僅かの隙間を空ける状態で前記第一部品と前記第二部品とを接近または離間する様に相対移動自在にするものとした。【選択図】    図１
2010215344.tif 000002
【特許請求の範囲】
【請求項１】
ペーパーの端部を特定形状に整形するペーパー整形器具であって、
所定の輪郭である第一輪郭に囲まれた第一平面を形成し前記第一輪郭の一部である第一部分輪郭の形状が特定形状に略一致する部材である第一部材を有する第一部品と、
所定の輪郭である第二輪郭に囲まれた第二平面を形成し前記第二輪郭の一部分である第二部分輪郭を仮に前記第二平面と前記第一平面とを対面する姿勢として上から見て前記第一部分輪郭と前記第二部分輪郭とを接近させて前記第二部分輪郭に重ね合わせることをできる部材である第二部材を有する第二部品と、
前記第一平面と前記第二平面とを互いに対面する向きに沿って向け上から見て前記第一部分輪郭と前記第二部分輪郭との間に僅かの隙間を空ける状態で前記第一部品と前記第二部品とを接近または離間する様に相対移動自在にする連結部品と、
を備える、
ことを特徴とするペーパー整形器具。
【請求項２】
前記第二部品が前記第二平面に略平行な面と所定の厚みである第二厚みとを持つ柔軟材料ででき側面を前記第二部分輪郭に当接する部材である第二柔軟部材を有する、
ことを特徴とする請求項１に記載のペーパー整形器具。
【請求項３】
前記第一部品が前記第一平面に略平行な面と所定の厚みである第一厚みとを持つ柔軟材料ででき側面を前記第一部分輪郭に当接する部材である第一柔軟部材を有する、
ことを特徴とする請求項１または請求項２のうちのひとつに記載のペーパー整形器具。
【請求項４】
前記柔軟材料がスポンジ状材料である、
ことを特徴とする請求項２または請求項３のうちのひとつに記載の駐車装置。
【発明の詳細な説明】
【技術分野】
【０００１】
本発明は、ペーパーの端部を特定形状に整形するペーパー整形器具に係る。
【背景技術】
【０００２】
ホテル等では、客がチャックインの際にトイレのトイレットペーパの端部を三角形に折り畳んでおくサービスが行われる。
通常、トイレの清掃員等が、手でペーパーの端部を三角形に折り畳む。
【０００３】
このサービスは、手作業で行われるため手間がかかった。
また三角形以外の形状にすることが困難であった。
【発明の概要】
【発明が解決しようとする課題】
【０００４】
本発明は以上に述べた問題点に鑑み案出されたもので、簡易な構成でペーパーの端部を特定形状に整形するのに適したペーパー整形器具を提供しようとする。
【課題を解決するための手段】
【０００５】
上記目的を達成するため、本発明に係るペーパーの端部を特定形状に整形するペーパー整形器具を、所定の輪郭である第一輪郭に囲まれた第一平面を形成し前記第一輪郭の一部である第一部分輪郭の形状が特定形状に略一致する部材である第一部材を有する第一部品と、所定の輪郭である第二輪郭に囲まれた第二平面を形成し前記第二輪郭の一部分である第二部分輪郭を仮に前記第二平面と前記第一平面とを対面する姿勢として上から見て前記第一部分輪郭と前記第二部分輪郭とを接近させて前記第二部分輪郭に重ね合わせることをできる部材である第二部材を有する第二部品と、前記第一平面と前記第二平面とを互いに対面する向きに沿って向け上から見て前記第一部分輪郭と前記第二部分輪郭との間に僅かの隙間を空ける状態で前記第一部品と前記第二部品とを接近または離間する様に相対移動自在にする連結部品と、を備える、ものとした。
【０００６】
上記本発明の構成により、第一部品の第一部材が、所定の輪郭である第一輪郭に囲まれた第一平面を形成し、前記第一輪郭の一部である第一部分輪郭の形状が特定形状に略一致する部材である。第二部品の第二部材が、所定の輪郭である第二輪郭に囲まれた第二平面を形成し前記第二輪郭の一部分である第二部分輪郭を仮に前記第二平面と前記第一平面とを対面する姿勢として上から見て前記第一部分輪郭と前記第二部分輪郭とを接近させて前記第二部分輪郭に重ね合わせることをできる部材である。連結部品が、前記第一平面と前記第二平面とを互いに対面する向きに沿って向け上から見て前記第一部分輪郭と前記第二部分輪郭との間に僅かの隙間を空ける状態で前記第一部品と前記第二部品とを接近または離間する様に相対移動自在にする。
その結果、第一部材と第二部材との間にペーパーを入れて、両者を接近させると、ペーパーを前記第一部分輪郭と前記第二部分輪郭とで剪断し特定形状に整形できる。
【０００７】
以下に、本発明の実施形態に係るペーパー整形器具を説明する。本発明は、以下に記載した実施形態のいずれか、またはそれらの中の二つ以上が組み合わされた態様を含む。
【０００８】
本発明の実施形態に係るペーパー整形器具は、前記第二部品が前記第二平面に略平行な面と所定の厚みである第二厚みとを持つ柔軟材料ででき側面を前記第二部分輪郭に当接する部材である第二柔軟部材を有する。
上記の実施形態の構成により、前記第二部品の第二柔軟部材が、前記第二平面に略平行な面と所定の厚みである第二厚みとを持つ柔軟材料ででき、側面を前記第二部分輪郭に当接する部材である第二柔軟部材を有する、
その結果、所定の厚みを持つ前記第二柔軟部材の側面が前記第二部分輪郭に当接する様にしたので、前記第一平面と前記第二平面との間にペーパーを入れて前記第一部品と前記第二部品とを接近させると、トレットペーパーを前記第一部材と前記第二柔軟材料とに挟んで位置決めできる。
【０００９】
本発明の実施形態に係るペーパー整形器具は、前記第一部品が前記第一平面に略平行な面と所定の厚みである第一厚みとを持つ柔軟材料ででき側面を前記第一部分輪郭に当接する部材である第一柔軟部材を有する。
上記の実施形態の構成により、前記第一部品の第一柔軟部材が、前記第一平面に略平行な面と所定の厚みである第一厚みとを持つ柔軟材料ででき側面を前記第一部分輪郭に当接する部材である。
その結果、所定の厚みを持つ第一柔軟部材の側面が前記第一部分輪郭に当接する様にしたので、前記第一平面と前記第二平面との間にペーパーを入れて前記第一部品と前記第二部品とを接近させると、トレットペーパーを前記第二部材と前記第一柔軟材料とに挟んで位置決めできる。
【００１０】
本発明の実施形態に係るペーパー整形器具は、前記柔軟材料がスポンジ状材料である、
上記の実施形態の構成により、前記柔軟材料がスポンジ状材料である。
その結果、前記柔軟材料がスポンジ状材料であるの様にしたので、ペーパーをスポンジ状材料に挟むと適度な力でペーパーを押さえることができる。
【発明の効果】
【００１１】
以上説明したように、本発明に係るペーパー整形器具は、その構成により、以下の効果を有する。
前記第一部品の前記第一部材が前記第一輪郭で囲まれた前記第一平面を形成し、前記第一輪郭の一部の輪郭が特定形状に一致し、前記第二部品の前記第二部材が第前記二輪郭で囲まれた前記第二平面を形成し、仮に前記第一平面と前記第二平面とを対面させた姿勢で前記第二輪郭の一部の輪郭と前記第一輪郭の一部を上から見て隙間なく重ね合わせることをできる様になり、上から見て前記第一輪郭の一部と前記第二輪郭の一部との間に僅かの隙間を空けた状態で前記第一部品と前記第二部品とを接近できる様にしたので、前記第一部材と前記第二部材との間にペーパーを入れて、両者を接近させると、ペーパーを特定形状に整形できる。
また、所定の厚みを持つ前記第二柔軟部材の側面が前記第二部分輪郭に当接する様にしたので、前記第一平面と前記第二平面との間にペーパーを入れて前記第一部品と前記第二部品とを接近させると、ペーパーを前記第一部材と前記第二柔軟材料とに挟んで位置決めできる。
また、所定の厚みを持つ前記第一柔軟部材の側面が前記第一部分輪郭に当接する様にしたので、前記第一平面と前記第二平面との間にペーパーを入れて前記第一部品と前記第二部品とを接近させると、ペーパーを前記第二部材と前記第一柔軟材料とに挟んで位置決めできる。
また、前記柔軟材料がスポンジ状材料であるの様にしたので、ペーパーをスポンジ状材料に挟むと適度な力でペーパーを押さえることができる。
従って、簡易な構成でペーパーの端部を特定形状に切り取るのに適したペーパー整形器具を提供できる。
【図面の簡単な説明】
【００１２】
【図１】本発明の第一の実施形態に係るペーパー整形器具の正面図である。
【図２】本発明の第一の実施形態に係るペーパー整形器具の解体図である。
【図３】本発明の第一の実施形態に係るペーパー整形器具のＡ−Ａ矢視図である。
【図４】本発明の第一の実施形態に係るペーパー整形器具のＢ−Ｂ矢視図である。
【図５】本発明の第一の実施形態に係るペーパー整形器具の組立図である。
【図６】本発明の第一の実施形態に係るペーパー整形器具の作用説明図である。
【図７】本発明の第一の実施形態に係るペーパー整形器具の断面図その１である。
【図８】本発明の第一の実施形態に係るペーパー整形器具の断面図その２である。
【発明を実施するための形態】
【００１３】
以下、本発明を実施するための形態を、図面を参照して説明する。
【００１４】
最初に、本発明の第一の実施形態にかかるペーパー整形器具を説明する。
図１は、本発明の第一の実施形態に係るペーパー整形器具の正面図である。図２は、本発明の第一の実施形態に係るペーパー整形器具の解体図である。図３は、本発明の第一の実施形態に係るペーパー整形器具のＡ−Ａ矢視図である。図４は、本発明の第一の実施形態に係るペーパー整形器具のＢ−Ｂ矢視図である。図５は、本発明の第一の実施形態に係るペーパー整形器具の組立図である。図６は、本発明の第一の実施形態に係るペーパー整形器具の作用説明図である。図７は、本発明の第一の実施形態に係るペーパー整形器具の断面図その１である。図８は、本発明の第一の実施形態に係るペーパー整形器具の断面図その２である。
【００１５】
第一の実施形態にかかるペーパー整形器具６は、ペーパー５の端部を特定形状Ｇに切り取る器具であって、第一部品１０と第二部品２０と連結部品３０と留め具４０とで構成される。
特定形状Ｇは特定の形状である。
例えば、特定形状は、三角形である。
【００１６】
第一部品１０は、第一部材１１と第一基礎部材１３と第一連結部１４とで構成される。
【００１７】
第一部材１１は、所定の輪郭である第一輪郭Ｃ１に囲まれた第一平面を形成し、第一輪郭Ｃ１の一部である第一部分輪郭Ｄ１の形状が特定形状Ｇに略一致する部材である。
第一部材１１は、金属板材であってもよい。
例えば、特定形状Ｇが三角形であるときに、第一部材１１は略二等辺三角形の第一輪郭Ｃ１を持つ金属板材であってもよい。二等辺で形成される縁が第一部分輪郭Ｄ１に相当する。
【００１８】
第一基礎部材１３は、第一部材１１を支持する基礎部材である。
【００１９】
第一連結部１４は、後述する連結部品３０に係合される部分である。
【００２０】
第二部品２０は、第二部材２１と第二基礎部材２３と第二連結部２４とで構成される。
【００２１】
第二部材２１は、所定の輪郭である第二輪郭Ｃ２に囲まれた第二平面Ｓ２を形成し、第二輪郭Ｃ２の一部分である第二部分輪郭Ｄ２が仮に第二平面Ｓ２と第一平面Ｓ１とを対面する姿勢として上から見て第一部分輪郭Ｄ１と第二部分輪郭Ｄ２とを接近させて第二部分輪郭Ｄ２に重ね合わせることをできる部材である。
例えば、第二部材２１は、所定の輪郭である第二輪郭Ｃ２に囲まれた第二平面Ｓ２を形成し第二輪郭Ｃ２の一部分である第二部分輪郭Ｄ２が仮に第二平面Ｓ２と第一平面Ｓ１とを対面する姿勢で同一平面に合わせて第一部分輪郭Ｄ１と第二部分輪郭Ｄ２との隙間が全体として無くなる様に第一部分輪郭Ｄ１と第二部分輪郭Ｄ２とを突き合わせることをできる部材である。
【００２２】
第二基礎部材２３は、第二部材２１を支持する基礎部材である。
【００２３】
第二連結部２４は、後述する連結部品３０に係合される部分である。
【００２４】
連結部材３０は、第一平面Ｓ１と第二平面Ｓ２とを互いに対面する向きに沿って向け第一部分輪郭と第二部分輪郭との間に僅かの隙間を空ける状態で第一部品と第二部品とを接近または離間する様に相対移動自在にする部材である。
例えば、連結部材３０は、第一平面Ｓ１と第二平面Ｓ２とを互いに対面する向きに沿って向け第一部分輪郭と第二部分輪郭との間に僅かの隙間を空ける状態で第一部品と第二部品とを接近または離間する様に揺動自在にする回転軸部材である。
【００２５】
連結部材３０が回転軸部材である場合に、回転軸部材を回転中心として揺動させて第一部品１０と第二部品２０とを接近させたとき、第一平面Ｓ１または第二平面Ｓ２に平行になる様に見て第一部分輪郭Ｄ１と第二部分輪郭Ｄ２との回転軸部材に近い位置の離間距離が第一部分輪郭Ｄ１と第二部分輪郭Ｄ２との回転軸部材に遠い位置の離間距離よりも狭くてもよい。
この様にすると、ペーパー５を第一部品１０と第二部品２０との間に入れて、第一部品１０と第二部品２０とを揺動して接近させると、ペーパー5が先端部から順に第一部分輪郭Ｄ１と第二部分輪郭Ｄ２とに挟まれて、特定形状が先端部から切り取られ、きれいに整形できる。
【００２６】
第一部品１０は、第一部材１１と第一柔軟部材１２と第一基礎部材１３と第一連結部１４とで構成されてもよい。
【００２７】
第一柔軟部材１２は、第一平面Ｓ１に略平行な面と所定の厚みである第一厚みＴ１とを持つ柔軟材料ででき、側面を第一部分輪郭Ｄ１に当接する部材である。
【００２８】
第二部品２０は、第二部材２１と第二柔軟部材２２と第二基礎部材２３と第二連結部２４とで構成されてもよい。
【００２９】
第二柔軟部材は、第二平面Ｓ２に略平行な面と所定の厚みである第二厚みＴ２とを持つ柔軟材料ででき、側面を第二部分輪郭Ｄ２に当接する部材である。
【００３０】
柔軟材料がスポンジ状材料であってもよい。
【００３１】
第一基礎部材１３または第二基礎部材２３の一方または両方の表面に親指大の窪みＨがあってもよい。
この様にすると、窪みＨに親指をあてて把持を容易にできる。
【００３２】
留め具４０は、第一部品１０と第二部品２０とを接近させたまま保持するための器具である。
【００３３】
以下に、本発明の実施形態にかかるペーパー整形器具の作用を説明する。
図６に示す様に、ペーパー５を第一部品１０と第二部品２０との間にいれる。
図５に示す様に、第一部品１０と第二部品とを接近させ、ペーパー５を第一部品１０と第二部品２０とに挟む。
図７に示す様に、ペーパー５が第一部分輪郭Ｄ１と第二部分輪郭Ｄ２とに剪断させて、特定形状に切り離される。
【００３４】
また、本発明の実施形態に係る駐車装置は、その構成により、以下の効果を有する。
第一部品１０の第一部材１１が第一輪郭Ｃ１で囲まれた第一平面Ｓ１を形成し、第一輪郭Ｃ１の一部の輪郭である第一部分輪郭Ｄ１が特定形状に一致し、第二部品２０の第二部材２１が第二輪郭Ｃ２で囲まれた第二平面Ｓ２を形成し、第二輪郭Ｃ２の一部の輪郭である第二部分輪郭Ｄ２が仮に第一平面Ｓ１と第二平面Ｓ２とを対面させて第一平面に沿って接近させると第一輪郭Ｃ１の一部の輪郭である第二部分輪郭Ｄに隙間なく突きあわせることをできる様になり、第一部分輪郭Ｄ１と第二部分輪郭Ｄ２との間に僅かの隙間を空けた状態で第一部品１０と第二部品２０とを接近できる様にしたので、第一部材１１と第二部材２１との間にトイレットペーパー５を入れて、両者を接近させると、トイレットペーパー５を特定形状に整形できる。
また、第一部品１０の第一部材１１が第一輪郭Ｃ１で囲まれた第一平面Ｓ１を形成し、第一輪郭Ｃ１の一部の輪郭である第一部分輪郭Ｄ１が特定形状に一致し、第二部品２０の第二部材２１が第二輪郭Ｃ２で囲まれた第二平面Ｓ２を形成し、第二輪郭Ｃ２の一部の輪郭である第二部分輪郭Ｄ２が仮に第一平面Ｓ１と第二平面Ｓ２とを対面させて第一平面に沿って接近させると第一輪郭Ｃ１の一部の輪郭である第二部分輪郭Ｄに隙間なく突きあわせることをできる様になり、第一部分輪郭Ｄ１と第二部分輪郭Ｄ２との間に僅かの隙間を空けた状態で第一部品１０と第二部品２０とを揺動して接近できる様にしたので、第一部材１１と第二部材２１との間にトイレットペーパーを入れて、両者を接近させると、トイレットペーパーを特定形状Ｇに整形できる。
また、所定の厚みＴ２を持つ第二柔軟部材２２の側面が第二部分輪郭Ｄ２に当接する様にしたので、第一平面Ｓ１と第二平面Ｓ２との間にトイレットペーパー５を入れて第一部品１０と第二部品２０とを接近させると、トレットペーパー５を第一部材１１と第二柔軟材料２２とに挟んで位置決めできる。
また、所定の厚みＴ１を持つ第一柔軟部材１２の側面が第一部分輪郭Ｄ１に当接する様にしたので、第一平面Ｓ１と第二平面Ｓ２との間にトイレットペーパー５を入れて第一部品１０と第二部品２０とを接近させると、トレットペーパー５を第二部材２１と第一柔軟材料１２とに挟んで位置決めできる。
また、柔軟材料がスポンジ状材料であるの様にしたので、ペーパーをスポンジ状材料に挟むと適度な力でペーパーを押さえることができる。
【００３５】
本発明は以上に述べた実施形態に限られるものではなく、発明の要旨を逸脱しない範囲で各種の変更が可能である。
特定形状は三角形であるとして説明したがこれに限定されず、例えば、ハート形、スペード形、クッキー人形形、その他であってもよい。
連結部品が、第一部品と第二部品とを相対的に揺動させる構造であるとして説明したがこれに限定されず、例えば、水平に接近し離間させる構造であってもよい。
【符号の説明】
【００３６】
Ｇ  特定形状
Ｃ１  第一輪郭
Ｄ１  第一部分輪郭
Ｓ１  第一平面
Ｃ２  第二輪郭
Ｄ２  第二部分輪郭
Ｓ２  第二平面
Ｔ１  第一厚み
Ｔ２  第二厚み
Ｈ  窪み
５  ペーパー
６  ペーパー整形器具
１０  第一部品
１１  第一部材
１２  第一柔軟部材
１３  第一基礎部材
１４  第一連結部
２０  第二部品
２１  第二部材
２２  第二柔軟部材
２３  第二基礎部材
２４  第二連結部
３０  連結部品
４０  留め具
【先行技術文献】
【特許文献】
【００３７】
【特許文献１】特開２００５−２７９１５６号
【図１】
2010215344.tif 000003
【図２】
2010215344.tif 000004
【図３】
2010215344.tif 000005
【図４】
2010215344.tif 000006
【図５】
2010215344.tif 000007
【図６】
2010215344.tif 000008
【図７】
2010215344.tif 000009
【図８】
2010215344.tif 000010